(57)【要約】【課題】記録済みデータと追記データの接続個所においてデータアドレスの連続性を保持できるようにする。【解決手段】ディスク記録媒体を再生したデータに挿入されているデータアドレスを検出するデータアドレス検出手段と、前記ディスク記録媒体の物理アドレスを検出するディスクアドレス検出手段と、前記データアドレス検出手段により検出されたデータアドレスと、前記ディスクアドレス検出手段により検出されたディスクアドレスとを比較してアドレス差を検出するアドレス差検出手段と、前記データアドレスの連続性を保持しながら追記処理を行い、追記予定のデータ追記が終了した後に、前記アドレス差検出手段により検出された前記データアドレスと前記ディスクアドレスとの間のアドレス差を補正する処理を行うアドレス差補正手段とを設け、連続的に再生可能となるデータ領域を拡大できるようにする。【選択図】図１
2008041122.tif 000002
【特許請求の範囲】
【請求項１】
製造時にあらかじめ物理的なディスクアドレスが配置され、一部に情報データが記録済みのディスク記録媒体に対して新たに情報データを記録する機能を有する記録再生装置であって、
前記ディスク記録媒体に記録されている情報データに付加されているデータアドレスを検出するデータアドレス検出手段と、
前記ディスク記録媒体の物理アドレスを検出するディスクアドレス検出手段と、
前記データアドレス検出手段により検出されたデータアドレスと、前記ディスクアドレス検出手段により検出されたディスクアドレスとを比較してアドレス差を検出するアドレス差検出手段と、
前記追記開始位置の前後の情報データの間でデータアドレスが連続するよう前記新たに記録する情報データに対してデータアドレスを付加すると共に、前記情報データの記録終了した後、前記アドレス差検出手段により検出された前記データアドレスと前記ディスクアドレスとの間のアドレス差を補正する処理を行うアドレス差補正手段とを有することを特徴とする記録再生装置。
【請求項２】
前記アドレス差検出手段は、ディスク記録媒体規格で定められた誤り訂正処理可能なデータ量単位にアドレス差を検出することを特徴とする請求項１に記載の記録再生装置。
【請求項３】
前記アドレス差補正手段は、前記ディスクアドレス値と前記データアドレス値との間に生じたアドレス差に応じたダミーデータを挿入することにより前記アドレス差を補正することを特徴とする請求項１または２に記載の記録再生装置。
【請求項４】
前記アドレス差補正手段は、前記ディスクアドレス値と前記データアドレス値との間に生じたアドレス差に応じて、最後に記録する誤り訂正処理可能なデータ量をディスク記録媒体規格で定められた量よりも少なく記録することにより前記アドレス差を補正することを特徴とする請求項１または２に記載の記録再生装置。
【請求項５】
前記アドレス差補正手段によるアドレス差補正処理を実行するか否かを選択する補正選択手段を有することを特徴とする請求項１〜４の何れか１項に記載の記録再生装置。
【請求項６】
前記補正選択手段は、記録開始以前あるいは開始後に前記アドレス差補正処理を実行するか否かを選択可能であることを特徴とする請求項５に記載の記録再生装置。
【請求項７】
前記補正選択手段は、記録再生装置の使用者あるいは記録再生装置に搭載されている制御装置により選択可能に構成されていることを特徴とする請求項５に記載の記録再生装置。
【請求項８】
製造時にあらかじめ物理的なディスクアドレスが配置され、一部に情報データが記録済みのディスク記録媒体に対して新たに情報データを記録する機能を有する記録再生方法であって、
前記ディスク記録媒体に記録されている情報データに付加されているデータアドレスを検出するデータアドレス検出工程と、
前記ディスク記録媒体の物理アドレスを検出するディスクアドレス検出工程と、
前記データアドレス検出工程において検出されたデータアドレスと、前記ディスクアドレス検出工程において検出されたディスクアドレスとを比較してアドレス差を検出するアドレス差検出工程と、
前記追記開始位置の前後の情報データの間でデータアドレスが連続するよう前記新たに記録する情報データに対してデータアドレスを付加すると共に、前記情報データの記録終了した後、前記アドレス差検出工程において検出された前記データアドレスと前記ディスクアドレスとの間のアドレス差を補正する処理を行うアドレス差補正工程とを有することを特徴とする記録再生方法。
【請求項９】
製造時にあらかじめ物理的なディスクアドレスが配置され、一部に情報データが記録済みのディスク記録媒体に対して新たに情報データを記録する機能を有する記録再生方法をコンピュータに実行させるプログラムであって、
前記ディスク記録媒体に記録されている情報データに付加されているデータアドレスを検出するデータアドレス検出工程と、
前記ディスク記録媒体の物理アドレスを検出するディスクアドレス検出工程と、
前記データアドレス検出工程において検出されたデータアドレスと、前記ディスクアドレス検出工程において検出されたディスクアドレスとを比較してアドレス差を検出するアドレス差検出工程と、
前記追記開始位置の前後の情報データの間でデータアドレスが連続するよう前記新たに記録する情報データに対してデータアドレスを付加すると共に、前記情報データの記録終了した後、前記アドレス差検出工程において検出された前記データアドレスと前記ディスクアドレスとの間のアドレス差を補正する処理を行うアドレス差補正工程とを有する記録再生方法をコンピュータに実行させることを特徴とするプログラム。
【請求項１０】
請求項９に記載のプログラムを記録したことを特徴とするコンピュータ読み取り可能な記録媒体。
【発明の詳細な説明】
【技術分野】
【０００１】
本発明は記録再生装置及び記録再生方法に関し、特に、記録済みディスク記録媒体に追記を行う際に、データアドレスの連続性を保持するために用いて好適な技術に関する。
【背景技術】
【０００２】
近年、DVDなどの光ディスク記録媒体は、記録容量増大化、低価格化が促進し、パソコンだけではなくさまざまな機器に搭載されるようになってきた。また、携帯型の画像撮影機能を有する機器や、据え置き型のハードディスク・DVDレコーダーなど、静止画像や動画像を記録する様々な記録再生装置が存在する。このような状況で、これらの各装置間でのディスク互換再生、互換記録の必要性が求められている。
【０００３】
また、ディスクに追記する場合、ディスク表面の汚れや傷、あるいは記録装置の振動、劣化、環境温度変化などにより、所定のディスク規格に則った記録形式から逸脱した記録済みディスクに追記しなければならない場合も生じる。
【０００４】
具体的には、ディスク上の物理アドレスと、記録データに挿入されているデータアドレスが正規の記録方法とは異なってしまい、ずれた位置関係になる場合などが考えられる。このディスクアドレスとデータアドレスとの差を補間する技術では、以下に記す２例のような技術がこれまで考えられていた。
【０００５】
第１の技術例としては、あらかじめ物理的に記録されたアドレスが存在し、さらに所定のフォーマットに則ったデータが既に記録済みであるディスク記録媒体に追記を行う場合である。この場合は、記録済みデータを再生して得られるデータアドレスに対するディスク上の物理アドレスのずれを検出し、追記開始アドレスを補正してから追記を開始するデータ記録制御装置が考えられていた。具体的には、アドレスのずれを検出し、検出結果に基づき追記開始タイミングを生成する手法である（例えば、特許文献１参照）。
【０００６】
また、第２の技術例として、記録終了時にディスク記録媒体上の物理アドレスと記録しているデータ固有のデータアドレスとの差が生じたときである。この場合には、その差を示す情報をディスクに設けられている記録情報管理領域に記録する。そして、追記するときには、記録情報管理領域のデータアドレスとディスクアドレスの差情報に基づき、記録開始アドレスを補正してから追記を行う手法が考えられていた（例えば、特許文献２参照）。
【０００７】
【特許文献１】特開２００４−１１８９８２号公報
【特許文献２】特開２００４−１７８６９６号公報
【発明の開示】
【発明が解決しようとする課題】
【０００８】
これまで、記録済みディスク記録媒体に追記を行う場合、追記以前に記録済みであるデータの記録終了個所（記録終了アドレス）を検出し、記録済みのデータ中に含まれるデータアドレスと比較処理を行う。そして、追記開始前にディスクフォーマットに則ったディスクアドレスとデータアドレスの位置関係を補正するようにアドレス補間を行う機能を具備した装置が考えられていた。
【０００９】
しかし、前記追記開始前にアドレス補正処理を行う装置で追記したディスクは、記録済みデータと追記したデータの接続個所ではデータアドレスが不連続になるため、その他の記録再生装置では正常に再生できない場合が生じる可能性があった。
本発明は前述の問題点に鑑み、記録済みデータと追記データの接続個所においてデータアドレスの連続性を保持できるようにすることを目的とする。
【課題を解決するための手段】
【００１０】
本発明の記録再生装置は、製造時にあらかじめ物理的なディスクアドレスが配置され、一部に情報データが記録済みのディスク記録媒体に対して新たに情報データを記録する機能を有する記録再生装置であって、前記ディスク記録媒体に記録されている情報データに付加されているデータアドレスを検出するデータアドレス検出手段と、前記ディスク記録媒体の物理アドレスを検出するディスクアドレス検出手段と、前記データアドレス検出手段により検出されたデータアドレスと、前記ディスクアドレス検出手段により検出されたディスクアドレスとを比較してアドレス差を検出するアドレス差検出手段と、前記追記開始位置の前後の情報データの間でデータアドレスが連続するよう前記新たに記録する情報データに対してデータアドレスを付加すると共に、前記情報データの記録終了した後、前記アドレス差検出手段により検出された前記データアドレスと前記ディスクアドレスとの間のアドレス差を補正する処理を行うアドレス差補正手段とを有することを特徴とする。
【００１１】
本発明の記録再生方法は、製造時にあらかじめ物理的なディスクアドレスが配置され、一部に情報データが記録済みのディスク記録媒体に対して新たに情報データを記録する機能を有する記録再生方法であって、前記ディスク記録媒体に記録されている情報データに付加されているデータアドレスを検出するデータアドレス検出工程と、前記ディスク記録媒体の物理アドレスを検出するディスクアドレス検出工程と、前記データアドレス検出工程において検出されたデータアドレスと、前記ディスクアドレス検出工程において検出されたディスクアドレスとを比較してアドレス差を検出するアドレス差検出工程と、前記追記開始位置の前後の情報データの間でデータアドレスが連続するよう前記新たに記録する情報データに対してデータアドレスを付加すると共に、前記情報データの記録終了した後、前記アドレス差検出工程において検出された前記データアドレスと前記ディスクアドレスとの間のアドレス差を補正する処理を行うアドレス差補正工程とを有することを特徴とする。
【００１２】
本発明のプログラムは、製造時にあらかじめ物理的なディスクアドレスが配置され、一部に情報データが記録済みのディスク記録媒体に対して新たに情報データを記録する機能を有する記録再生方法をコンピュータに実行させるプログラムであって、前記ディスク記録媒体に記録されている情報データに付加されているデータアドレスを検出するデータアドレス検出工程と、前記ディスク記録媒体の物理アドレスを検出するディスクアドレス検出工程と、前記データアドレス検出工程において検出されたデータアドレスと、前記ディスクアドレス検出工程において検出されたディスクアドレスとを比較してアドレス差を検出するアドレス差検出工程と、前記追記開始位置の前後の情報データの間でデータアドレスが連続するよう前記新たに記録する情報データに対してデータアドレスを付加すると共に、前記情報データの記録終了した後、前記アドレス差検出工程において検出された前記データアドレスと前記ディスクアドレスとの間のアドレス差を補正する処理を行うアドレス差補正工程とを有する記録再生方法をコンピュータに実行させることを特徴とする。
【発明の効果】
【００１３】
本発明によれば、記録済みデータと追記データの接続個所でのデータアドレスの連続性を保持しながらアドレス補正処理して追記するようにしたので、追記処理を行った装置以外の記録再生装置でも、連続的に再生可能となるデータ領域を拡大することができ、各記録再生装置間のディスク記録媒体の再生互換性を向上させることができる。
【発明を実施するための最良の形態】
【００１４】
（第１の実施形態）
以下、図面を参照しながら本発明の好適な実施の形態として、データ記録済み領域が存在するディスク記録媒体に追記する際の実施形態を説明する。
本実施形態における記録再生装置の構成を示すブロック図を図１に示し、データ追記処理のフローチャートを図２に示す。
【００１５】
図１において、本実施形態の記録再生装置は、ヘッド２と、ＡＤ／ＤＡ変換器３と、アドレス検出器４と、ＡＤ／ＤＡ変換器５と、変調・復調器６と、誤り訂正やスクランブル処理などを行うデジタル信号処理部７とを有する。また、データアドレス生成器８と、メモリ９とを有する。また、ＣＰＵ１０と、スピンドルモーター１１と、モーター制御回路１２と、サーボ・ヘッド制御回路１３とを有する。さらに、画像用符号化器１４と音声用符号化器１５を内蔵したＤＳＰ１６と、入力動画像データ１７と、Ａ／Ｄ変換器１８と、入力音声データ１９と、Ａ／Ｄ変換器２０と、ユーザーインターフェイス２１とを有する。
【００１６】
次に、図２のフローチャートを参照しながら本実施形態の記録再生装置で行う処理の概略を説明する。
本実施形態の記録再生装置の使用者が、ユーザーインターフェイス２１から記録開始を指示すると、ＣＰＵ１０を介して記録済みデータの終了データアドレス検出及び終了ディスクアドレス検出を行う（ステップＳ２０１）。
【００１７】
次に、ステップＳ２０２に進み、データアドレス検出及びディスクアドレス検出を行う。データアドレス検出は、記録済みデータを再生して得られたアナログ信号をＡＤ／ＤＡ変換器５でデジタル信号に変換する。そして、変調・復調器６と、誤り訂正やスクランブル処理などを行うデジタル信号処理部７を使用して記録済み最終データ中に挿入されているアドレスを抜き出して検出する。また、ディスクアドレス検出は、記録最終データが記録されていた記録媒体上の物理的な位置を示すアドレスをＡＤ／ＤＡ変換器３と、アドレス検出器４を使用して検出する。そして、検出したデータアドレスとディスクアドレスとの間の誤差をアドレス検出器４で比較し、比較結果をＣＰＵ１０に通知する。
【００１８】
ＣＰＵ１０は、通知された比較結果からアドレス誤差状況を判断する（ステップＳ２０３）。そして、この判断の結果、誤差に応じてデータアドレス生成器８を制御して追記開始アドレスを決定する（ステップＳ２０４、ステップＳ２０７）。次に、追記データをエンコードし（ステップＳ２０５、ステップＳ２０８）、これを前記決定したアドレスから通常記録動作を行う（ステップＳ２０６、ステップＳ２０９）。
【００１９】
前述した処理において、ステップＳ２０３の判断の結果、誤差が有った場合には、ステップＳ２０４→ステップＳ２０５→ステップＳ２０６の順番に処理を行う。また、ステップＳ２０３の判断の結果、誤差が無かった場合には、ステップＳ２０７→ステップＳ２０８→ステップＳ２０９の順番に処理を行う。
【００２０】
ステップＳ２０６の処理が終了したら、次にステップＳ２１０に進み、アドレス補正を行うこと（補間実施）が選択されているか否かを判断する。この判断の結果、アドレス補正を行うように選択されていない場合には処理を終了する。また、ステップＳ２１０の判断の結果、アドレス補正を行うように選択されている場合はステップＳ２１１に進み、ＣＰＵ１０は追記終了時にデータアドレス生成器８に補正指示を通知する。これにより、データアドレス生成器８は補正用データの生成を行う。そして、データアドレス生成器８により生成した補正用データを記録媒体１に記録する（ステップＳ２１２）。
【００２１】
なお、ステップＳ２１０におけるアドレス補正を行うか否かの選択は、記録再生装置の使用者により、あるいは記録再生装置に搭載されている制御装置により選択可能に構成されている。
【００２２】
以下、処理の詳細を記述する。
まず、記録再生装置の使用者が、ユーザーインターフェイス２１から記録開始を指示すると、記録再生装置に挿入されている記録媒体を再生し、記録済みデータの終了個所を検出する。本実施形態の記録再生装置においては、再生データに挿入されているデータアドレスを検出するデータアドレス検出手段と、記録媒体上の物理アドレスを検出するディスクアドレス検出手段とを有している。また、前記検出されたデータアドレスとディスクアドレスとを比較する比較手段とを有している。
【００２３】
再生データに挿入されているデータアドレスを検出するデータアドレス検出手段は、通常のデータ再生手段を用いる。記録媒体１からヘッド２で読み出したアナログ信号をＡＤ／ＤＡ変換器５でデジタル信号に変換し、変調・復調器６で所定のフォーマットに則った復調処理を行う。
【００２４】
次に、デジタル信号処理部７でリードソロモン符号などの誤り訂正とデータ並べ替えなどのデスクランブル処理を行い、デジタル処理された再生データをメモリ９に格納する。このメモリ９に格納する段階で、データ中に挿入されているデータアドレス値を抜き出し、アドレス誤差検出器４に送信する。
【００２５】
ディスクアドレス検出手段は、記録媒体１からヘッド２で読み出したアナログ信号である物理アドレス情報をＡＤ／ＤＡ変換器３でデジタル信号に変換し、そのデジタル信号からアドレス検出器４でディスクアドレスに変換する。
【００２６】
前述のようにして検出したデータアドレスとディスクアドレスは、正常な記録・再生処理を行ったデータである場合、一致するはずである。データアドレスとディスクアドレスをアドレス誤差検出器４で比較することにより、アドレスの一致・不一致を明らかにする。
【００２７】
アドレス誤差検出器４で比較して検出した結果、アドレスが一致していた場合、記録済みデータが正常な記録方式で記録されたデータであることが確認される。この場合は、アドレス補正の必要は無く、記録済みデータ終了アドレスの次のアドレスを追記開始アドレスとして設定することが可能である。図３に示すように、データアドレスとディスクアドレスが一対一で対応し、アドレス「７」まで記録済みの場合、アドレス「８」から通常記録を行うようにする。
【００２８】
一方、ステップＳ２０３の誤差検出の結果、検出アドレスが不一致の場合、アドレス誤差検出器４でデータアドレスとディスクアドレスの差を算出し、算出結果をＣＰＵ１０に通知する。ＣＰＵ１０は受信したアドレス差に基づき追記開始位置を決定する。
【００２９】
図４に示すように、１個のアドレス値で決められた物理的範囲の途中で、データアドレスが終了している場合、データ終了位置を正確に検出し、検出した位置から追記を始める。図４は、ディスクアドレス「８」の途中までデータアドレス「７」のデータが記録済みだった場合であり、記録終了位置からデータアドレス「８」のデータの追記を開始する。
【００３０】
図４のデータアドレス（ａ）で示したデータは、追記終了時にアドレス補正処理を実施していない場合であり、追記終了位置では、追記開始と同様にデータアドレスとディスクアドレスがずれている。アドレス補正処理することなく、データアドレスの連続性を保持して追記が完了したことになり、ディスク再生専用機器でも再生が可能な記録状態である。
【００３１】
それに対して、図４のデータアドレス（ｂ）で示したデータは、追記終了時にアドレス補正処理を実施した場合であり、実際にはアドレスを補正するのではなく、追記最終データ(データアドレス「３０」)のデータ量を短縮させている。次回、さらに追記する際には、データアドレス「３１」からディスク規格に則った追記動作を行うことが可能である。ただし、追記開始位置のデータをディスク再生専用機器では、連続的に再生できない可能性が生じる。
【００３２】
次に、アドレス差が図５に示すような場合について説明する。
この例の場合は、記録済みデータの終了位置で、ディスクアドレスは「７」、データアドレスは「８」の場合であり、記録終了位置からデータアドレス「９」のデータ追記を開始する。この追記開始位置では、データアドレスの連続性を保持して追記することになり、ディスク再生専用機器でも再生が可能な記録状態である。
【００３３】
図５のデータアドレス（ａ）で示したデータは、追記終了時にアドレス補正処理を実施していない場合であり、追記終了位置では、追記開始と同様にデータアドレスとディスクアドレスがずれている。アドレス補正処理することなく、データアドレスの連続性を保持して追記が完了したことになり、ディスク再生専用機器でも再生が可能な記録状態である。
【００３４】
図５のデータアドレス（ｂ）で示したデータは、追記終了時にアドレス補正処理を実施した場合である。この場合、実際にはアドレスを補正するのではなく、追記最終データ(データアドレス「３１」)の次にデータアドレス「３１」のデータを記録して終了する場合である。図５では、データアドレスとディスクアドレスとの差はアドレス１個であったため、最後に記録するデータはデータアドレス「３１」の１個のデータであった。アドレス差が２個以上の場合は、データアドレスとディスクアドレスが一致するまでデータを記録する。最後に記録するデータ群は画像情報などを含まないダミーデータである場合と有効な情報を含むデータである場合が考えられる。
【００３５】
データを挿入してデータアドレスとディスクアドレスを一致させて追記終了することにより、次回、さらに追記する際には、データアドレス「３２」からディスク規格に則った追記動作を行うことが可能である。ただし、追記開始位置のデータをディスク再生専用機器では、連続的に再生できない可能性が生じる。また、追記した情報は、ディスクアドレス「３０」まではディスク再生専用機器でも再生が可能な記録状態である。
【００３６】
図６は、アドレスの差が図５と類似した例である。図５では、記録済みデータのデータアドレスがディスクアドレスに対して進んでいる状態であった。図６は、逆に記録済みデータのデータアドレスがディスクアドレスに対して遅れている状態である。記録済みデータの終了位置で、ディスクアドレスは「７」、データアドレスは「６」の場合であり、記録終了位置からデータアドレス「７」のデータ追記を開始する。この追記開始位置では、データアドレスの連続性を保持して追記することになり、ディスク再生専用機器でも再生が可能な記録状態である。
【００３７】
図６のデータアドレス（ａ）で示したデータは、追記終了時にアドレス補正処理を実施していない場合であり、追記終了位置では、追記開始と同様にデータアドレスとディスクアドレスがずれている。アドレス補正処理することなく、データアドレスの連続性を保持して追記が完了したことになり、ディスク再生専用機器でも再生が可能な記録状態である。
【００３８】
図６のデータアドレス（ｂ）で示したデータは、追記終了時にアドレス補正処理を実施した場合であり、実際にはアドレスを補正するのではなく、追記最終データ(データアドレス「２９」)の次にデータアドレス「３１」のデータを記録して終了する場合である。図６では、データアドレスとディスクアドレスとの差がアドレス１個である場合を示したが、アドレス差が２以上の場合も最後に記録するデータはディスクアドレスと一致するデータアドレスを使用してデータを記録する。この例の場合は、「３１」の１個のデータである。
【００３９】
最後に記録するデータは、画像情報などを含まないダミーデータである場合と有効な情報を含むデータである場合が考えられる。データを挿入してデータアドレスとディスクアドレスを一致させて追記終了することにより、次回、さらに追記する際には、データアドレス「３２」からディスク規格に則った追記動作を行うことが可能である。ただし、追記開始位置のデータをディスク再生専用機器では、連続的に再生できない可能性が生じる。また、追記した情報は、ディスクアドレス「２９」まではディスク再生専用機器でも再生が可能な記録状態である。
【００４０】
図７は、ディスクアドレスとデータアドレスに差が生じたディスクに追記する場合の従来例の一部である。これまでの従来例では、追記開始時に何らかのアドレス補正処理を行ってから、有効データを追記する手法である。図７のデータアドレス（ａ）は、ディスクアドレス「８」の途中までデータが記録されており、データアドレス「８」から追記する場合である。追記最初のデータアドレス「８」のデータ量を短縮し、データアドレス「９」からディスク規格に則った記録状態となる。
【００４１】
図７のデータアドレス（ｂ）は、ディスクアドレス「７」までデータが記録されており、データアドレス「８」で記録終了しているディスクである。記録済み終了アドレスからディスクアドレスとデータアドレスとが一致するまでダミーデータ(データアドレス「８」のデータ)を記録し、アドレスが一致したアドレス「９」から有効データの追記を開始する手法である。
【００４２】
図７では、追記開始時点でのデータアドレスが不連続となり、追記開始位置のデータをディスク再生専用機器では、連続的に再生できない可能性が生じる。ただし、アドレス補正が完了した後の記録データはデータアドレスが連続的となる。
【００４３】
次に、前記の通常記録動作に関して簡単に説明する。
記録を開始すると撮影する動画像や音声は、本実施形態装置の図１に記載されていない部分においてアナログ電気信号に変換され、入力動画像データ１７と、入力音声１９として図１記載の装置に入力される。
【００４４】
入力動画像データ１７は、アナログ信号からデジタル信号にＡ／Ｄ変換１８された後、ＤＳＰ１６の画像用符号化器１４により画像情報を圧縮してメモリ９の所定の場所に保存される。入力音声１９も前記と同様、アナログ信号からデジタル信号にＡ／Ｄ変換２０された後、ＤＳＰ１６の音声用符号化器１５により音声情報を圧縮してメモリ９の所定の場所に保存される。
【００４５】
ＤＳＰ１６により圧縮されてメモリ９に格納された動画像や音声は、信号処理ＥＣＣ回路７に読み出されて管理情報、データアドレス生成器８で生成したデータアドレスなどのヘッダを付加される。そして、スクランブル処理され、さらに記録媒体のフォーマットに則したリードソロモン符号や、ＢＣＨ符号などのエラー訂正用のパリティを付加された符号に変換される。
【００４６】
信号処理ＥＣＣ回路７で変換されたデータは、変調・復調器６でＥＣＣ同様、記録媒体のフォーマットに則した変調方式で変調され、変調されたデータはＡＤ／ＤＡ変換器５でＤ／Ａ変換されて、記録媒体１に記録可能なデータの準備が整う。
【００４７】
記録媒体１へのデータの記録は、ＣＰＵ１０からの指令がサーボ・ヘッド制御回路１３に伝わり、サーボ・ヘッド制御回路１３からモーター制御回路１２とヘッド２に指令が伝達される。そして、スピンドルモーター１１と、ヘッド２が所定の記録動作を行い、記録媒体１に記録データが記録される。
【００４８】
前述したように、本実施形態の記録再生装置は、静止画像、動画像、音声などのアナログ信号をデジタル信号に変換する手段と、入力されたデジタル信号を画像、音声各々を符号化する手段とを有する。また、記録フォーマットに則った誤り訂正処理、スクランブル処理、変調・復調処理を行う手段と、記録媒体にあらかじめ記録されている物理的なディスクアドレスを検出する手段とを有する。また、記録媒体に記録する情報に挿入されているデータアドレスとディスクアドレスの誤差を検出する手段と、データアドレスを生成する手段と、情報を一旦保持する手段と、装置全体の制御手段と、記録媒体制御手段とを有する。
【００４９】
前記静止画像、動画像、音声などのアナログ信号をデジタル信号に変換する手段は、動画像、音声の各々用途の符号化回路を備えており、CPUからの指示で、動作する符号化回路を選択することを特徴とする。
【００５０】
前記記録フォーマットに則った誤り訂正処理、スクランブル処理、変調・復調処理を行う手段は、記録時には規格に則ったスクランブルエンコードを行う。次に、規格に則ったリードソロモン符号などの誤り訂正方式によりパリティを付加して符号化し、規格に則ったデジタル変調処理を行う。また、再生時には記録時とは逆の処理を行い、まず規格に則ったデジタル復調処理を施し、次に規格に則った誤り訂正方式により情報の誤り訂正処理を行い、スクランブルを解除するデスクランブル演算を行う。
【００５１】
前記ディスクアドレスを検出する手段は、ディスク記録媒体製造時に物理的に生成した規則的に配置された溝の連続性、幅などをヘッドで読み取る。そして、読み取った情報を規格に則ったディスクアドレス情報に編集して、再生あるいは記録しているアドレスとして検出する。
【００５２】
前記データアドレスとディスクアドレスの誤差を検出する手段は、前記ディスクアドレスを検出する手段により検出したディスクアドレスと、ディスクアドレスに一対一に対応しているアドレス情報として記録済みのデータを再生する。そして、得られたデータアドレスを比較し、アドレス値の差を検出する。
【００５３】
前記データアドレスを生成する手段は、規格に則ったデータ構成をしている画像情報に、ある単位毎にデータアドレス値情報を挿入する機構である。挿入するアドレス値は、正常な記録状態であれば、ディスクアドレスと一対一に対応したアドレス値でありアドレスの連続性を保有している。しかし、記録媒体上の汚れや傷などの影響で、ディスクアドレスとデータアドレスの対応関係が異常な場合には、アドレス補間用のデータアドレスを生成する。
【００５４】
前記情報を一旦保持する手段は、主に揮発性半導体メモリを使用して画像データを保持しながら、デジタル信号処理、転送などを行う。ただし、不揮発性のハードディスクなどを情報保持手段として使用することも可能である。
【００５５】
前記装置全体の制御手段としては、メイン演算処理ブロックとしてＣＰＵを搭載し、画像符号化、信号処理、アドレス値比較判定、追記アドレス決定などを行う。
前記記録媒体制御手段は、ＣＰＵからの指示によりサーボ・ヘッド制御回路が光ヘッドを調整そして動作させ、モーター制御回路が光記録媒体を回転させるスピンドルモーターの回転・停止を調整する。
【００５６】
前述のような手段を用いて記録済み記録媒体に追記処理を行うことにより、ディスクアドレスとデータアドレスに差が生じた場合も、記録終了アドレス及びアドレス値誤差を検出して、記録データアドレスの連続性を保ちながら記録することを可能としている。
【００５７】
（本発明に係る他の実施形態）
前述した本発明の実施形態における記録再生装置を構成する各手段、並びに記録再生方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５８】
また、本発明は、例えば、システム、装置、方法、プログラムもしくは記憶媒体等としての実施形態も可能である。具体的には、複数の機器から構成されるシステムに適用してもよいし、また、一つの機器からなる装置に適用してもよい。
【００５９】
なお、本発明は、前述した実施形態の機能を実現するソフトウェアのプログラム（実施形態では図２に示すフローチャートに対応したプログラム）を、システムあるいは装置に直接されてもよい。あるいは遠隔から供給し、そのシステムあるいは装置のコンピュータが前記供給されたプログラムコードを読み出して実行することによっても達成される場合を含む。
【００６０】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６１】
その場合、プログラムの機能を有していれば、オブジェクトコード、インタプリタにより実行されるプログラム、ＯＳに供給するスクリプトデータ等の形態であってもよい。
【００６２】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどである。また、磁気テープ、不揮発性のメモリカード、ＲＯＭ、ＤＶＤ（ＤＶＤ−ＲＯＭ，ＤＶＤ−Ｒ）なども含む。
【００６３】
その他、プログラムの供給方法としては、クライアントコンピュータのブラウザを用いてインターネットのホームページに接続し、前記ホームページから本発明のコンピュータプログラムそのものをダウンロードすることによっても供給できる。もしくは、圧縮され自動インストール機能を含むファイルをハードディスク等の記録媒体にダウンロードすることによっても供給できる。
【００６４】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６６】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００６７】
さらに、記録媒体から読み出されたプログラムが、コンピュータに挿入された機能拡張ボードやコンピュータに接続された機能拡張ユニットに備わるメモリに書き込まれる。そして、その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６８】
【図１】本発明の実施形態を示し、記録再生装置の全体構成を説明するブロック図である。
【図２】本発明の実施形態を示し、追記処理手順の一例を説明するフローチャートである。
【図３】本発明の実施形態を示し、正常記録状態の一例を説明する図である。
【図４】本発明の実施形態を示し、追記状態の一例を説明する図である。
【図５】本発明の実施形態を示し、追記状態の一例を説明する図である。
【図６】本発明の実施形態を示し、追記状態の一例を説明する図である。
【図７】従来例の追記状態の一例を説明する図である。
【符号の説明】
【００６９】
１  記録媒体
２  ヘッド
３  ＡＤ／ＤＡ変換器
４  アドレス検出器（アドレス誤差検出器）
５  ＡＤ／ＤＡ変換器
６  変調・復調器
７  信号処理部(ECC、スクランブル)
８  データアドレス生成器
９  メモリ
１０  ＣＰＵ
１１  スピンドルモーター
１２  モーター制御回路
１３  サーボ・ヘッド制御回路
１４  画像用符号化器
１５  音声用符号化器
１６  ＤＳＰ
１７  入力動画像データ
１８  Ａ／Ｄ変換器
１９  入力音声データ
２０  Ａ／Ｄ変換器
２１  ユーザーインターフェイス
【図１】
2008041122.tif 000003
【図２】
2008041122.tif 000004
【図３】
2008041122.tif 000005
【図４】
2008041122.tif 000006
【図５】
2008041122.tif 000007
【図６】
2008041122.tif 000008
【図７】
2008041122.tif 000009